(57)【要約】【課題】容易に装着することができ、その装着位置ズレを小さくすることができるプラグピン、及びその保持構造を提供すること。【解決手段】本発明のプラグピン１は、電源プラグ等と接続し得るピン本体２と、電子機器内部回路等と接続し得る端子片３と、を備え、ピン本体２の後端部２ａが押圧されたときに、ピン本体２の圧入部２ｃが挿入孔６ａに圧入されて保持されるものであって、ピン本体２は、導電性金属板をピン本体２の中心軸の周りに両側から屈曲して形成し、後端部２ａ近傍において両板片２１，２２が中心軸に略垂直な平面に対して相対向する対向部２ｄを密接して設けたことを特徴としている。また、端子片３は、後端部２ａから所定距離、離れた位置においてピン本体２の側方から突設したものとしてある。【選択図】　　　　　図１
2004146287.tif 000002
【特許請求の範囲】
【請求項１】
電源プラグ等と接続し得るピン本体と、電子機器内部回路等と接続し得る端子片と、を備え、ピン本体の後端部が押圧されたときに、ピン本体の圧入部が挿入孔に圧入されて保持されるプラグピンであって、
前記ピン本体は、導電性金属板をピン本体の中心軸の周りに両側から屈曲して形成し、前記後端部近傍において両板片が前記中心軸に略垂直な平面に対して相対向する対向部を密接して設けたことを特徴とするプラグピン。
【請求項２】
前記端子片は、前記後端部から所定距離、離れた位置において前記ピン本体の側方から突設したものである請求項１記載のプラグピン。
【請求項３】
請求項１又は２記載のプラグピンの前記圧入部の外周に沿って略等間隔に突起部を設け、前記圧入部が前記挿入孔に圧入されて保持されたときに前記突起部が前記挿入孔の内壁に押圧力を与えて保持されるプラグピンの保持構造であって、
前記挿入孔の壁面は、前記圧入部が前記挿入孔に圧入されて保持されたときに前記圧入部の外壁を押圧する突起を、前記挿入孔の前方側又は後方側において、前記挿入孔の壁面の内周に沿って略等間隔に設け、前記圧入部がこの挿入孔に圧入されて保持されたことを特徴とするプラグピンの保持構造。
【発明の詳細な説明】
【０００１】
【発明の属する技術分野】
本発明は、各種電気機器のＤＣジャック等に用いるプラグピン、及びその保持構造に関するものである。
【０００２】
【従来の技術】
従来、この種のプラグピンとして、例えば図６に示すようなものがある（例えば、特許文献１参照。）。なお、図６において、（ａ）は側面図、（ｂ）は平面図、（ｃ）は底面図、（ｄ）は背面図である。
【０００３】
このプラグピン１００は、導電性金属板をプレス成形して形成されたものであって、ピン本体２の外周部にランス１１２及び３つの突起部４，４，４が設けられ、後端部２ａには電子機器内部回路に接続する端子片３が備えられている。
【０００４】
このプラグピン１００は、以下のようにして、熱可塑性樹脂で形成されたハウジングの挿入孔に取り付けられる。すなわち、ハウジングの挿入孔に超音波振動発振器を用いて超音波振動を付加しながらプラグピンを挿入する。このとき、ランス１１２は弾性を有していて挿入孔壁を摺接しながら移動し、突起部４，４，４はハウジングの挿入孔の内壁に溝を形成しつつ挿入されるが、突起部４，４，４に当接している部分が超音波振動の振動摩擦にて発熱して軟化溶融し、プラグピンの移動に合わせて突起部４，４，４の後方に回り込みそこで冷却硬化する。このようにしてプラグピンが挿入完了した状態において突起部４，４，４が樹脂モールド内に埋め込まれた状態になる。また、ランス１１２はその弾性によりハウジング内に設けられたランス係止部に係合するのである。
【０００５】
また、従来のプラグピンとして、例えば図７乃至図９に示すようなものもある。なお、図７は、プラグピンの斜視図、図８（ａ）はプラグピンの側面図、同図（ｂ）は同じく平面図、同図（ｃ）は同じく背面図、図９は同じく背面拡大図である。また、図１０は、プラグピンが保持されるハウジングを示し、同図（ａ）は同図（ｂ）におけるＢＢ線に沿う断面を示す平面断面図、同図（ｂ）は同じく背面図である。また、図１１は、プラグピンをハウジングに保持した状態における開口部近傍の拡大斜視図、図１２は、プラグピン、ハウジング、及びコンタクトの分解斜視図であり、ハウジングは図１０（ｂ）におけるＢＢ線に沿って切断した下半分を図示してある。
【０００６】
このプラグピン２００は、導電性金属板を打ち抜いた後、曲げ加工を施して形成されたものであって、電源プラグ等と接続し得るピン本体２と、電子機器内部回路等と接続し得る端子片３と、を備え、ハウジング６の挿入孔６ａに圧入する圧入部２ｃの外周には、ピン本体２の中心軸に対して略点対称な位置に角錐状の突起部４，４が設けられ、ピン本体２の後端部２ａ近傍にハウジング６の係止部６ｂに係止する係止片５が設けられている。
【０００７】
かくして、このプラグピン２００は、後端部２ａの押圧面２１ａ、及び係止片５の後端面５ａが圧入パンチによって押圧されると、圧入部２ｃがハウジング６の挿入孔６ａに圧入され、係止片５がハウジング６の係止部６ｂに係止すると共に、突起部４，４が挿入孔６ａの内壁に押圧力を与えて保持されるのである。そして、あらかじめハウジング６の内部空間に固着してあるコンタクト７（図１２参照）と共にＤＣ電圧が印加されてそれを内部回路に伝達するＤＣジャックをなしているのである。
【０００８】
【特許文献１】
特開２００２−８７６２号公報（第２−３頁、第３図）
【０００９】
【発明が解決しようとする課題】
ところで、図６に示す従来のプラグピン１００によれば、プラグピン１００を挿入する際に、超音波振動発振器を用いて超音波振動を付加しながら行なうので、プラグピン１００を装着する作業がやや面倒である。
【００１０】
一方、図７乃至図９に示す従来のプラグピン２００によれば、装着する際に後端部２ａの押圧面２１ａ、及び係止片５の後端面５ａを圧入パンチによって押圧して圧入するので、超音波振動発振器が不要なものとなる。
【００１１】
しかしながら、プラグピン２００は、後端面５ａがプラグピン長手方向の中心軸に対して偏った位置にしか存在しないので、後端面５ａを圧入パンチによって押圧したときにピン本体２に与えられる押圧力が、中心軸に対して対称なものとならない。その結果、プラグピンＡの装着方向が挿入孔６ａの中心軸と平行にならないものとなり、ピン本体２の先端部２ｂの位置がハウジング６の開口部６ｃ内で中心位置から外れてしまう、という問題点があった。また、押圧面２１ａ及び後端面５ａを押圧する際に、圧入パンチが端子片３に当たり、これを変形させてしまうことがあった。
【００１２】
本発明は、上記事由に鑑みてなしたもので、その目的とするところは、容易に装着することができ、その装着位置ズレを小さくすることができるプラグピン、及びその保持構造を提供することにある。
【００１３】
【課題を解決するための手段】
請求項１に係る発明のプラグピンは、電源プラグ等と接続し得るピン本体と、電子機器内部回路等と接続し得る端子片と、を備え、ピン本体の後端部が押圧されたときに、ピン本体の圧入部が挿入孔に圧入されて保持されるプラグピンであって、前記ピン本体は、導電性金属板をピン本体の中心軸の周りに両側から屈曲して形成し、前記後端部近傍において両板片が前記中心軸に略垂直な平面に対して相対向する対向部を密接して設けたことを特徴としている。
【００１４】
請求項２に係る発明のプラグピンは、請求項１の構成において、前記端子片は、前記後端部から所定距離、離れた位置において前記ピン本体の側方から突設したものにしてある。
【００１５】
請求項３に係る発明のプラグピンの保持構造は、請求項１又は２記載のプラグピンの前記圧入部の外周に沿って略等間隔に突起部を設け、前記圧入部が前記挿入孔に圧入されて保持されたときに前記突起部が前記挿入孔の内壁に押圧力を与えて保持されるプラグピンの保持構造であって、前記挿入孔の壁面は、前記圧入部が前記挿入孔に圧入されて保持されたときに前記圧入部の外壁を押圧する突起を、前記挿入孔の前方側又は後方側において、前記挿入孔の壁面の内周に沿って略等間隔に設け、前記圧入部がこの挿入孔に圧入されて保持されたことを特徴としている。
【００１６】
【発明の実施の形態】
以下、本発明の実施の形態について、図面を参照して詳細に説明する。なお、本実施形態の基本的な構成は従来の技術において説明したプラグピン２００（図７乃至図９参照）と同様であり、基本的機能が実質的に同様の部分には同一の符号を付してある。
【００１７】
図１乃至図５は、本発明に係るプラグピン及びその保持構造の実施の形態を示す図であり、図１は、プラグピンの斜視図、図２（ａ）はプラグピンの側面図、同図（ｂ）は同じく平面図、同図（ｃ）は同じく背面図、図３は同じく背面拡大図である。そして、図４及び図５は、プラグピンが保持されるハウジングを示し、図４（ａ）は同図（ｂ）におけるＡＡ線に沿う断面を示す平面断面図、同図（ｂ）は同じく背面図、図５は同じく背面拡大図である。そして、このプラグピン及びその保持構造は、以下のように構成してある。
【００１８】
プラグピン１は、ピン本体２の後端部２ａの押圧面２１ａが圧入パンチ等によって押圧されたときに、ピン本体２の圧入部２ｃがハウジング６の挿入孔６ａに圧入されて保持されるものであって、電源プラグ等と接続し得るピン本体２と、電子機器内部回路等と接続し得る端子片３と、を備えている。
【００１９】
ピン本体２は、導電性金属板を略長方形状に打ち抜き、長辺側端面が対向するように長手方向に沿って両側から丸めて略円筒形状に形成し、板片２１，２２を有している。板片２１は、長手方向の長さを板片２２より長く形成して後方に突出するようにし、さらに、この突出する部分において、板片２１が板片２２の後面２２ａに回り込むようにした突片２１ｂを設けてある。ここで、突片２１ｂと板片２２の後面２２ａとの間隙２ｄは、可能な限り小さくなるようにしてある。ただし、図１において、この間隙２ｄ周辺の形状を判り易く示すため、両板片２１，２２間の間隙を実際よりかなり大きくして描いてある。また、ピン本体２の先端部２ｂは、しぼり加工して略半球となるように丸めてある。さらに、ピン本体２の圧入部２ｃの外周面には、ピン本体２の中心軸に対して対称の位置に略三角錐状の突起部４を、板片２１，２２にそれぞれ設けてある。なお、突起部４は、圧入部２ｃの外周に沿って略等間隔に複数個、設けても良いことは言うまでもない。
【００２０】
端子片３は、電子機器内部回路等と接続し得るものであって、板片２１の突片２１ｂを形成していない側の端面から側方に突設している。この端子片３は、平板を打ち抜き、２ヶ所で略直角に折曲させたものであり、板片２１の後端部２ａ側において長手方向に対して略直角に延設した引出部３１、電子機器内部回路等の導体パターンと接続される接続部３３、及び引出部３１と接続部３３とを連結する連結部３２を有し、これらを一体に形成してある。ここで、引出部３１の後方側端面３１ａは、押圧面２１ａより前方側に位置するように構成した。
【００２１】
ハウジング６は、プラグピン１を保持するものであって、外形を略直方体状に形成し、内部には略円柱状の相手側コネクタ等を収納し得る有底の収納凹部６１を形成してある。そして、この収納凹部６１は、長手方向の一端に開口部６ｃを設け、この開口部６ｃと反対側の底部には、収納凹部６１に連通する挿入孔６ａ、及び端子片３の引出部３１の前方側端面が当接する係止部６ｂを設けてある。さらに、挿入孔６ａの前方側、すなわち収納凹部６１に連通する側の壁面には、ピン本体２の圧入部２ｃが圧入されて保持されたときに圧入部２ｃの外壁を押圧する突起６ｄを、３つ、挿入孔６ａの壁面の内周に沿って略等間隔に設けてある。なお、突起６ｄは、挿入孔６ａの壁面の内周に沿って略等間隔に、複数個、設けても良く、また、突起６ｄは、挿入孔６ａの後方側の壁面の内周に沿って略等間隔に設けても良いことは言うまでもない。
【００２２】
かくして、プラグピン１は、先端部２ｂ側からピン本体２を挿入孔６ａに挿入し、ピン本体２の押圧面２１ａを圧入パンチ等によって押圧すると、突起部４，４が挿入孔６ａの内壁に押圧力を与えると共に、突起６ｄ，６ｄ，６ｄが圧入部２ｃの外壁に押圧力を与える状態で、圧入部２ｃがハウジング６の挿入孔６ａに圧入されて保持されるのである。
【００２３】
したがって、上記構成によれば、プラグピン１は、ピン本体２を、導電性金属板をピン本体２の中心軸の周りに両側から屈曲して形成し、後端部２ａ近傍において両板片２１，２２がピン本体２の中心軸に略垂直な平面に対して相対向する対向部２ｄを密接して設けたことを特徴としているので、押圧面２１ａを有する側の板片２１に押圧力を与えたときに、対向部を介して、もう一方の板片２２に押圧力が伝播する。具体的には、押圧時、板片２１の突片２１ｂの前方側端面が、板片２２の後面２２ａに当接して、挿入力を板片２２に伝えるので、従来のものに比べ、より均等にバランス良く押圧させられるものとなる。その結果、プラグピン１の装着位置ズレを小さくすることができて、ピン本体２の先端部２ｂの位置がハウジング６の開口部６ｃ内で中心位置から外れにくいものとなる。
【００２４】
また、プラグピン１は、端子片３を、ピン本体２の後端部２ａから所定距離、離れた位置においてピン本体２の側方から突設しているので、押圧面２１ａの押圧面積を比較的、大きくすることができる。これにより、プラグピン１は、より一層、均等にバランス良く押圧することができるので、装着位置ズレがより一層、小さくさせられるものとなる。また、プラグピン１は、端子片３を、押圧面２１ａより前方側で側方に引き出しているので、この押圧面２１ａを圧入パンチ等で押圧する際に、圧入パンチが端子片３に当たることがなくなり、端子片３が変形させられることがないものとなる。
【００２５】
また、挿入孔６ａの壁面には、プラグピン１の圧入部２ｃが挿入孔６ａに圧入されて保持されたときに圧入部２ｃの外壁を押圧する突起６ｄを、挿入孔６ａの前方側又は後方側において、挿入孔６ａの壁面の内周に沿って略等間隔に設け、圧入部２ｃがこの挿入孔６ａに圧入されて保持されたことを特徴としているので、プラグピン１の装着位置ズレをより一層、小さくすることができて、ピン本体２の先端部２ｂの位置がハウジング６の開口部６ｃ内で中心位置から一層、外れにくいものとなる。また、プラグピン１の圧入部２ｃが挿入孔６ａに圧入されて保持されたときに、挿入孔６ａの突起６ｄ，６ｄ，６ｄが圧入部２ｃの外壁を押圧すると共に、ピン本体２の突起部４，４が挿入孔６ａの内壁を押圧するので、プラグピン１の装着状態が安定させられるものとなる。
【００２６】
なお、上述した実施の形態において、端子片３をピン本体２と別部材にて形成し、その端子片３をピン本体２に固着してプラグピン１を構成してもよく、このように構成しても本発明の効果が損なわれないことは言うまでもない。
【００２７】
【発明の効果】
請求項１に係る発明のプラグピンは、ピン本体を、導電性金属板をピン本体の中心軸の周りに両側から屈曲して形成し、ピン本体の後端部近傍において両板片が中心軸に略垂直な平面に対して相対向する対向部を密接して設けたことを特徴としているので、従来のものに比べ、より均等にバランス良く押圧させられるものとなって、プラグピンの装着位置ズレを小さくすることができ、ピン本体の先端部の位置がハウジングの開口部内で中心位置から外れにくいものとなる。
【００２８】
請求項２に係る発明のプラグピンは、請求項１の構成において、端子片は、ピン本体の後端部から所定距離、離れた位置においてピン本体の側方から突設したものにしてあるので、押圧面の押圧面積を比較的、大きくすることができると共に、圧入パンチ等で押圧する際に、圧入パンチが端子片に当たることがなくなり、端子片が変形させられることがないものとなる。
【００２９】
請求項３に係る発明のプラグピンの保持構造は、請求項１又は２記載のプラグピンの圧入部の外周に沿って略等間隔に突起部を設け、圧入部が挿入孔に圧入されて保持されたときに突起部が挿入孔の内壁に押圧力を与えて保持されるプラグピンの保持構造であって、挿入孔の壁面は、圧入部が挿入孔に圧入されて保持されたときに圧入部の外壁を押圧する突起を、挿入孔の前方側又は後方側において、挿入孔の壁面の内周に沿って略等間隔に設け、圧入部がこの挿入孔に圧入されて保持されたことを特徴としているので、プラグピンの装着位置ズレをより一層、小さくすることができると共に、その装着状態が安定させられるものとなる。
【図面の簡単な説明】
【図１】本発明に係るプラグピンの実施の形態を示す斜視図である。
【図２】同上の実施の形態を示し、（ａ）はプラグピンの側面図、（ｂ）は同じく平面図、（ｃ）は同じく背面図である。
【図３】同上のプラグピンの背面拡大図である。
【図４】同上のプラグピンが保持されるハウジングを示し、（ａ）は同図（ｂ）におけるＡＡ線に沿う断面を示す平面断面図、（ｂ）は背面図である。
【図５】同上のハウジングの背面拡大図である。
【図６】従来のプラグピンを示し、（ａ）は側面図、（ｂ）は平面図、（ｃ）は底面図、（ｄ）は背面図である。
【図７】別の従来のプラグピンを示す斜視図である。
【図８】同上のプラグピンを示し、（ａ）は側面図、（ｂ）は平面図、（ｃ）は背面図である。
【図９】同上のプラグピンの背面拡大図である。
【図１０】同上のプラグピンが保持されるハウジングを示し、（ａ）は同図（ｂ）におけるＢＢ線に沿う断面を示す平面断面図、（ｂ）は背面図である。
【図１１】同上のプラグピンをハウジングに保持した状態における開口部近傍の拡大斜視図である。
【図１２】同上のプラグピン、ハウジング、及びコンタクトの分解斜視図である。
【符号の説明】
１　　　　　　　プラグピン
２　　　　　　　ピン本体
２１，２２　　板片
２ａ　　　　　ピン本体の後端部
２ｃ　　　　　ピン本体の圧入部
２ｄ　　　　　板片の対向部
３　　　　　　　端子片
４　　　　　　　突起部
６ａ　　　　　挿入孔
６ｄ　　　　　突起
【図１】
2004146287.tif 000003
【図２】
2004146287.tif 000004
【図３】
2004146287.tif 000005
【図４】
2004146287.tif 000006
【図５】
2004146287.tif 000007
【図６】
2004146287.tif 000008
【図７】
2004146287.tif 000009
【図８】
2004146287.tif 000010
【図９】
2004146287.tif 000011
【図１０】
2004146287.tif 000012
【図１１】
2004146287.tif 000013
【図１２】
2004146287.tif 000014